(57)【要約】  モニタ切り替え時の表示待ち時間を短縮し利便性の向上を図る。そのために、撮像装置は、第１の表示部と、第２の表示部と、前記第１の表示部の起動及び停止指示を送信する第１のコマンド信号線と、前記第２の表示部の起動及び停止指示を送信する第２のコマンド信号線と、前記第１の表示部用の第１表示データと前記第２の表示部用の第２表示データを前記第１の表示部及び前記第２の表示部へ共通の経路で送信する表示データ線と、前記表示データ線で前記第１の表示部及び前記第２の表示部へ送信する表示データを制御する制御部と、を備えるものとした。このような撮像装置においては、モニタ切り替え時の表示待ち時間を短縮し利便性の向上が図られる。
2019008874.tif 000002
【特許請求の範囲】
【請求項１】
第１の表示部と、
第２の表示部と、
前記第１の表示部の起動及び停止指示を送信する第１のコマンド信号線と、
前記第２の表示部の起動及び停止指示を送信する第２のコマンド信号線と、
前記第１の表示部用の第１表示データと前記第２の表示部用の第２表示データを前記第１の表示部及び前記第２の表示部へ共通の経路で送信する表示データ線と、
前記表示データ線で前記第１の表示部及び前記第２の表示部へ送信する表示データを制御する制御部と、を備えた
撮像装置。
【請求項２】
前記制御部は、前記第２の表示部が前記表示データ線を通じて送信された前記第２表示データを表示している場合に、前記第１のコマンド信号線を通じて前記第１の表示部に起動指示を行い、前記表示データ線で送信する表示データを前記第２表示データから前記第１表示データへ切り替える切り替え処理と、前記第２の表示部に対する停止指示を行う
請求項１に記載の撮像装置。
【請求項３】
前記第１表示データと前記第２表示データは解像度が異なるデータとされた
請求項１に記載の撮像装置。
【請求項４】
前記第１の表示部はファインダ内に設けられ、前記第２の表示部は前記ファインダ外に設けられた
請求項１に記載の撮像装置。
【請求項５】
前記第１の表示部と使用者との距離を測定可能な第１測定部を備え、
前記制御部は、前記第１測定部の測定結果を用いて前記起動指示、前記切り替え処理、前記停止指示を行うタイミングを決定する
請求項２に記載の撮像装置。
【請求項６】
撮像装置筐体の姿勢の変化を測定可能な第２測定部を備え、
前記制御部は、前記第２測定部が測定した前記姿勢の変化を用いて、前記起動指示、前記切り替え処理、前記停止指示を行うタイミングを決定する
請求項２に記載の撮像装置。
【請求項７】
前記第１測定部は、近接センサを用いて前記距離を測定する
請求項５に記載の撮像装置。
【請求項８】
前記第２測定部はジャイロセンサまたは加速度センサを用いて前記姿勢の変化を測定する
請求項６に記載の撮像装置。
【請求項９】
前記制御部は、
前記第１測定部が測定した距離が第１の距離よりも短く第２の距離よりも長い場合に、前記起動指示を行い、
前記測定した距離が前記第２の距離よりも短い場合に、前記切り替え処理と前記停止指示を行う
請求項５に記載の撮像装置。
【請求項１０】
前記制御部は、前記第１の表示部及び前記第２の表示部に対して、それぞれ別の信号線でクロック信号と同期信号を送信する
請求項１に記載の撮像装置。
【請求項１１】
前記制御部は、前記第１の表示部に黒画像を表示させる第１の黒画像表示指示を行う
請求項２に記載の撮像装置。
【請求項１２】
前記第１の黒画像表示指示は、前記切り替え処理が完了するまで前記第１の表示部に黒画像を表示させる指示とされる
請求項１１に記載の撮像装置。
【請求項１３】
前記制御部は、前記第２の表示部に黒画像を表示させる第２の黒画像表示指示を行う
請求項２に記載の撮像装置。
【請求項１４】
前記第２の黒画像表示指示は、表示データの切り替え開始から前記第２の表示部に黒画像を表示させる指示とされる
請求項１３に記載の撮像装置。
【請求項１５】
前記制御部は、前記第２の黒画像表示指示の後に前記停止指示を行う
請求項１４に記載の撮像装置。
【請求項１６】
前記制御部は、前記起動指示に基づいた前記第１の表示部の起動期間において前記第１の表示部に送信する第１の同期信号のフレームレートを前記第２の表示部に送信する第２の同期信号のフレームレートよりも高くする
請求項２に記載の撮像装置。
【請求項１７】
撮像装置筐体に対する前記第２の表示部の位置または姿勢を検出するチルトセンサを備え、
前記制御部は、前記チルトセンサによって検出された位置情報または姿勢情報を用いて前記起動指示を行うか否かを決定する
請求項２に記載の撮像装置。
【請求項１８】
前記制御部は、撮像モードまたは再生モードに関するモード情報を用いて前記起動指示を行うか否かを決定する
請求項２に記載の撮像装置。
【請求項１９】
第１の表示部用の第１表示データと第２の表示部用の第２表示データを前記第１の表示部及び前記第２の表示部へ共通の表示データ線で送信するとともに、前記第１の表示部に起動指示を行う手順と、
前記表示データ線で送信する表示データを前記第２表示データから前記第１表示データへ切り替えを行う手順と、
前記第２の表示部に対する停止指示を行う手順と、を備えた
撮像装置の制御方法。
【請求項２０】
第１の表示部用の第１表示データと第２の表示部用の第２表示データを前記第１の表示部及び前記第２の表示部へ共通の表示データ線で送信するとともに、前記第１の表示部に起動指示を行う機能と、
前記表示データ線で送信する表示データを前記第２表示データから前記第１表示データへ切り替えを行う機能と、
前記第２の表示部に対する停止指示を行う機能と、を演算処理装置に実現させる
プログラム。
【発明の詳細な説明】
【技術分野】
【０００１】
本技術は、撮像装置についての技術分野に関する。特に撮像画像を表示する表示部がファインダ内とファインダ外に少なくとも一つずつ設けられた撮像装置に関する。
【背景技術】
【０００２】
カメラやビデオカメラなどの撮像装置には、ファインダが設けられているものがある。その中には、ファインダ内にモニタが設けられた所謂ＥＶＦ（Electronic Viewfinder ）を備えたものがある。このようなファインダ内のモニタは、撮像時のスルー画（被写体のモニタリング画像）を表示し、撮像する被写体の選択やタイミングを撮像者が計る際に用いられる。
更に、ファインダ内のモニタを備える撮像装置の中には、例えば筐体後方（撮像者側）に設けられた背面モニタなどの他のモニタを備えるものがある。
複数のモニタを備える撮像装置においては、消費電力などの問題から何れかのモニタにスルー画等を表示させているときは他のモニタの表示を停止しておくことがある。このような場合には、ある特定のタイミングでモニタの表示切替が行われる。【０００３】
また、背面モニタとＥＶＦモニタの双方を備えたデジタルカメラにおいては、背面モニタとＥＶＦモニタの画面サイズが異なることが一般的であり、用いられる表示データも異なる。
そのために、背面モニタとＥＶＦモニタに対してそれぞれ専用の表示データ線を接続しているものがある。
しかし、二つのモニタに対してそれぞれの表示データ線を設けると、カメラの制御部として動作するプロセッサーなどのＩＣ（Integrated Circuit）が大型化してしまい、基板サイズが大きくなってしまう虞がある。【０００４】
これを解決するために、二つのモニタに表示データを送るための表示データ線を共通化したものがある。しかし、表示データ線を共通化することにより、一つのモニタに対して表示データを送信している間は他のモニタを停止するなどの処理が消費電力の観点から必要となる。このような起動処理及び停止処理によって、使用者が見たいモニタに適切な撮像画像が表示されるまでの時間が長くなってしまう虞がある。
特許文献１では、これを解決するために、表示画像の切り替え制御を行うタイミングを工夫した撮像装置が開示されている。具体的には、使用しないモニタの表示をオフにする制御を開始するときに、使用するモニタに対応した撮像画像に切り換える制御（即ち表示画像の切替制御）を開始する。
【先行技術文献】
【特許文献】
【０００５】
【特許文献１】特開２０１４−１４０４６号公報
【発明の概要】
【発明が解決しようとする課題】
【０００６】
ところが、特許文献１に開示された方法は、一方のモニタの表示オフ制御と他方のモニタの表示オン制御がシーケンシャルに実行されているものであり、使用者が見たいモニタに撮像画像（スルー画）を表示するまでの時間が十分に短縮できていない虞がある。
そこで、本技術の撮像装置は、モニタ切り替え時の表示待ち時間を短縮し利便性の向上を図ることを目的とする。
【課題を解決するための手段】
【０００７】
本技術に係る撮像装置は、第１の表示部と、第２の表示部と、前記第１の表示部の起動及び停止指示を送信する第１のコマンド信号線と、前記第２の表示部の起動及び停止指示を送信する第２のコマンド信号線と、前記第１の表示部用の第１表示データと前記第２の表示部用の第２表示データを前記第１の表示部及び前記第２の表示部へ共通の経路で送信する表示データ線と、前記表示データ線で前記第１の表示部及び前記第２の表示部へ送信する表示データを制御する制御部と、を備えたものである。
これにより、第１表示データ用の表示データ線と第２表示データ用の表示データ線をそれぞれ別に設けずに済む。【０００８】
上記の撮像装置の前記制御部は、前記第２の表示部が前記表示データ線を通じて送信された前記第２表示データを表示している場合に、前記第１のコマンド信号線を通じて前記第１の表示部に起動指示を行い、前記表示データ線で送信する表示データを前記第２表示データから前記第１表示データへ切り替える切り替え処理と、前記第２の表示部に対する停止指示を行ってもよい。
これにより、第２の表示部の停止処理が実行される前に表示データの切替処理が行われる。【０００９】
上記の撮像装置においては、前記第１表示データと前記第２表示データは解像度が異なるデータとされていてもよい。
これにより、異なる解像度とされた表示データであっても切り替え時の待ち時間短縮かが図られる。【００１０】
上記の撮像装置においては、前記第１の表示部はファインダ内に設けられ、前記第２の表示部は前記ファインダ外に設けられていてもよい。
この場合には、使用者が第１の表示部と第２の表示部の双方を同時に見る可能性が低くなるため、使用者が視認していない方の表示部に対して停止指示を行うことが有効である。【００１１】
上記の撮像装置においては、前記第１の表示部と使用者との距離を測定可能な第１測定部を備え、前記制御部は、前記第１測定部の測定結果を用いて前記起動指示、前記切り替え処理、前記停止指示を行うタイミングを決定するものでもよい。
測定された距離は、第１の表示部を使用者が視認しているか否かを判定するために用いることが可能とされる。【００１２】
上記の撮像装置においては、撮像装置筐体の姿勢の変化を測定可能な第２測定部を備え、前記制御部は、前記第２測定部が測定した前記姿勢の変化を用いて、前記起動指示、前記切り替え処理、前記停止指示を行うタイミングを決定してもよい。
撮像装置筐体の姿勢の変化が測定可能となることで、使用者が視認している表示部の特定に該測定結果を用いることが可能とされる。【００１３】
上記の撮像装置の前記第１測定部は、近接センサを用いて前記距離を測定してもよい。
近接センサなどのセンサを用いることにより、使用者と表示部の距離を認識することが可能となり、先のタイミングの決定などに用いることが可能となる。【００１４】
上記の撮像装置の前記第２測定部はジャイロセンサまたは加速度センサを用いて前記姿勢の変化を測定してもよい。
これにより、撮像装置の姿勢変化を測定が可能となり、各処理のタイミング決定などに用いることが可能となる。【００１５】
上記の撮像装置の前記制御部は、前記第１測定部が測定した距離が第１の距離よりも短く第２の距離よりも長い場合に、前記起動指示を行い、前記測定した距離が前記第２の距離よりも短い場合に、前記切り替え処理と前記停止指示を行ってもよい。
即ち、第１の表示部と使用者の距離が第２の距離よりも遠いが第１の距離よりも近い場合には、第１の表示部の起動指示が行われる。【００１６】
上記の撮像装置の前記制御部は、前記第１の表示部及び前記第２の表示部に対して、それぞれ別の信号線でクロック信号と同期信号を送信してもよい。
第１の表示部及び第２の表示部にそれぞれ別のクロック信号と同期信号が送られることにより、第１の表示部と第２の表示部を独立して制御することが可能となる。【００１７】
上記の撮像装置の前記制御部は、前記第１の表示部に黒画像を表示させる第１の黒画像表示指示を行ってもよい。
これにより、例えば、第１の表示部に第２の表示部用の第２表示データが入力されている状態などにおいて、第１の表示部に黒画像を表示させることが可能となる。【００１８】
上記の撮像装置においては、前記第１の黒画像表示指示は、前記切り替え処理が完了するまで前記第１の表示部に黒画像を表示させる指示とされてもよい。
第１の表示部の起動後に第１の表示部に入力される表示データは、表示データの切り替え処理が終わるまでは第１表示データと第２表示データの何れかとされる。【００１９】
上記の撮像装置の前記制御部は、前記第２の表示部に黒画像を表示させる第２の黒画像表示指示を行ってもよい。
これにより、例えば、第２の表示部に第１の表示部用の第１表示データが入力されている状態などにおいて、第２の表示部に黒画像を表示させることが可能となる。【００２０】
上記の撮像装置においては、前記第２の黒画像表示指示は、表示データの切り替え開始から前記第２の表示部に黒画像を表示させる指示とされてもよい。
第２表示データから第１表示データへ表示データの切り替えを行っている過程では、第２の表示部に入力される表示データは、第１表示データと第２表示データの何れかとされる。【００２１】
上記の撮像装置の前記制御部は、前記第２の黒画像表示指示の後に前記停止指示を行ってもよい。
これにより、第２の表示部に黒画像が表示された後に停止過程へと遷移する。【００２２】
上記の撮像装置の前記制御部は、前記起動指示に基づいた前記第１の表示部の起動期間において前記第１の表示部に送信する第１の同期信号のフレームレートを前記第２の表示部に送信する第２の同期信号のフレームレートよりも高くしてもよい。
これにより、第１の表示部の起動は比較的高いフレームレートを用いて行われる。【００２３】
上記の撮像装置においては、撮像装置筐体に対する前記第２の表示部の位置または姿勢を検出するチルトセンサを備え、前記制御部は、前記チルトセンサによって検出された位置情報または姿勢情報を用いて前記起動指示を行うか否かを決定してもよい。
例えば、第２の表示部が収納位置から張出位置へと移動している状態を検知することができる。第２の表示部が張出位置へと移動している状態においては、使用者が第２の表示部を視認している可能性が高く、第１の表示部を視認している可能性が低いと考えられる。【００２４】
上記の撮像装置の前記制御部は、撮像モードまたは再生モードに関するモード情報を用いて前記起動指示を行うか否かを決定してもよい。
例えば、撮像装置が再生モードで用いられている状態において、第１の表示部に対する起動指示を行わないことも可能である。
【発明の効果】
【００２５】
本技術によれば、モニタ切り替え時の表示待ち時間を短縮し利便性の向上を図ることができる。
なお、ここに記載された効果は必ずしも限定されるものではなく、本開示中に記載されたいずれかの効果であってもよい。
【図面の簡単な説明】
【００２６】
【図１】本技術の実施の形態の撮像装置の斜視図である。
【図２】背面モニタが張出位置に位置された様子を示す斜視図である。
【図３】撮像装置のブロック図である。
【図４】制御部と背面モニタとＥＶＦモニタの動作説明図である。
【図５】背面モニタ及びＥＶＦモニタの状態遷移図である。
【図６】本実施の形態の比較対象の撮像装置の動作説明図である。
【図７】本実施の形態の比較対象の撮像装置における状態遷移を示す図である。
【図８】本実施の形態の比較対象の撮像装置の動作説明図である。
【図９】本実施の形態の撮像装置における状態遷移を示す図である。
【図１０】状態遷移処理のフローチャートである。
【図１１】状態遷移処理のフローチャートである。
【図１２】状態遷移処理のフローチャートである。
【図１３】ＥＶＦモニタ停止処理のフローチャートである。
【図１４】背面モニタ切り替え及びＥＶＦモニタ停止処理のフローチャートである。
【図１５】背面モニタ起動及びＥＶＦモニタ停止処理のフローチャートである。
【図１６】背面モニタ切り替え処理のフローチャートである。
【図１７】背面モニタ起動処理のフローチャートである。
【図１８】ＥＶＦモニタ待機処理のフローチャートである。
【図１９】ＥＶＦモニタ起動処理のフローチャートである。
【図２０】ＥＶＦモニタ切り替え処理のフローチャートである。
【図２１】背面モニタ停止処理のフローチャートである。
【図２２】ＥＶＦモニタ高速待機処理のフローチャートである。
【図２３】ＥＶＦモニタ高速起動処理のフローチャートである。
【図２４】起動遷移時間の短縮についての説明図である。
【発明を実施するための形態】
【００２７】
以下、実施の形態について添付図面を参照しながら次の順序で説明する。
＜１．撮像装置の構成＞
＜２．状態遷移＞
＜３．各例との比較＞
＜４．各処理＞
＜５．高速化＞
＜６．まとめ＞
＜７．本技術＞
【００２８】
なお、以下の説明においては、請求項にいう撮像装置としてデジタルカメラ（単にカメラとも表記する）を例に挙げる。
また、カメラの使用者側を後方と記載し、被写体側を前方と記載する。そして、カメラの使用者から見た左右方向を記載する。
【００２９】
＜１．撮像装置の構成＞
本実施の形態に係る撮像装置１の外観を図１に示す。
撮像装置１は、内部に基板等が配置される内部空間を備えたカメラ筐体２と、カメラ筐体２の前方に取り付けられ内部にレンズ群が配設されたレンズ筐体３を有している。
カメラ筐体２には、上部にＥＶＦ４が設けられ、後方には背面モニタ５が取り付けられている。カメラ筐体２には、被写体を撮像するため及び撮像画像を確認するための各種操作子６が各部に設けられている。具体的には、例えば、再生メニュー起動ボタン、決定ボタン、十字キー、キャンセルボタン、ズームキー、スライドキー、シャッターボタン（レリーズボタン）等である。
【００３０】
ＥＶＦ４は、後方から視認可能なＥＶＦモニタ７と、ＥＶＦモニタ７の上方及び左右の側方を囲むように後方に突出された枠状の囲い部８を備えている。即ち、ＥＶＦモニタ７はファインダ内に設けられている。
【００３１】
背面モニタ５は、カメラ筐体２に対して回動可能とされている。例えば、図２に示すように、背面モニタ５の上端部を回動軸として背面モニタ５の下端部が後方に移動するように回動可能とされている。
なお、背面モニタ５の右端部や左端部が回動軸とされていてもよい。更に、複数の方向に回動可能とされていてもよい。
背面モニタ５がカメラ筐体２の後面部に設けられた凹部に収納された状態における背面モニタ５の位置を「収納位置」とし、背面モニタ５が回動されて凹部から飛び出した状態における背面モニタ５の位置を「張出位置」とする。
【００３２】
図３は撮像装置１のブロック図である。撮像装置１は、光学系５０、イメージセンサ５１、制御部５２、メモリ５３、レンズドライバ５４、操作部５５、検出部５６、記憶部５７、通信部５８などを備えている。
【００３３】
光学系５０は、入射端レンズ、ズームレンズ、フォーカスレンズ、集光レンズなどの各種レンズや絞り機構などを含んで構成されている。絞り機構は、信号電荷が飽和せずにダイナミックレンジ内に入っている状態でセンシングが行われるように、レンズやアイリス（絞り）による開口量などを調整することで、露光制御を行う。
【００３４】
イメージセンサ５１は、例えばＣＣＤ（Charge Coupled Device）イメージセンサ、またはＣＭＯＳ（Complementary Metal-Oxide Semiconductor）イメージセンサ等が用いられる。
イメージセンサ５１のセンサ面は、複数の画素が繰り返しパターンで２次元配列されたセンシング素子を有して構成されている。
イメージセンサ５１は、光学系５０を通過した光を、センシング素子により検出することで、光の光量に応じた測定信号（撮像画像信号）を制御部５２に出力する。
【００３５】
制御部５２は、イメージセンサ５１から送られてくるアナログ信号（撮像画像信号）をデジタル信号に変換し、各種の信号処理を施す。
例えば、デジタル信号にガンマ補正やニー補正、歪み補正、色補正、輪郭強調処理、解像度変換、各種のコーデック処理、像振れ補正処理などを施す。
各種のコーデック処理とは、解像度変換された画像データについて、例えば記録用や通信用の符号化処理である。
【００３６】
制御部５２は、メモリ５３やＣＰＵなどを備えたマイクロコンピュータ（演算処理装置）により構成される。
メモリ５３は、例えば、ＲＡＭ（Random Access Memory）やＲＯＭ（Read Only Memory）やフラッシュメモリ（不揮発性メモリ）などの各種メモリである。
ＲＡＭは、ＣＰＵの各種データ処理の際の作業領域として、データやプログラム等の一時的な格納に用いられる。
ＲＯＭやフラッシュメモリは、ＣＰＵが各部を制御するためのＯＳ（Operating System）や、画像ファイル等のコンテンツファイルの他、各種動作のためのアプリケーションプログラムや、ファームウエア等の記憶に用いられる。例えば、本例において後述するＥＶＦの起動処理や停止処理を実行するためのプログラム等が記憶される。
【００３７】
ＣＰＵがＲＯＭやフラッシュメモリ等に記憶されたプログラムを実行することで、撮像装置１全体を統括的に制御する。
また、制御部５２は、レンズドライバ５４を介して光学系５０を制御することにより、ズーム動作、フォーカス動作、或いは露光調整等の制御を行う。
なお、本実施の形態においては、撮像装置１が備える複数のモニタに対して各種の指示を行うことにより、使用者にとって利便性の向上を図る。
【００３８】
操作部５５は、図１や図２に示す各種操作子６、６、・・・や、背面モニタ５に形成されたタッチパネルなどによって実現される。
また背面モニタ５に表示させるアイコンやメニュー等とタッチパネルを用いたタッチパネル操作により、各種の操作が可能とされてもよい。
制御部５２は、ユーザの操作に応じた撮像動作や記録動作、記録した画像ファイルの再生動作、ユーザインターフェース動作等について、必要各部の動作を制御する。
【００３９】
検出部５６は、１種または複数種類のセンサを用いてＥＶＦモニタ７へ使用者の顔が近づいたことを検出する。例えば、近接センサ５９を用いてカメラ筐体２やＥＶＦモニタ７と使用者の距離を検知することにより、使用者の顔の接近を直接的に検出する。以下の説明では、ＥＶＦモニタ７と物体の近接度合いを出力する近接センサ５９を例に挙げて説明する。
また、直接的な検知だけでなく間接的な検知を行ってもよい。具体的には、例えば、カメラ筐体２の姿勢を検知可能な加速度センサ６０によって使用者が撮像装置１を構える動作を検知することにより、ＥＶＦモニタ７の覗き込み動作を間接的に検知する。ここでいう姿勢の変化とは、カメラ筐体２の傾きなどの変化だけでなく位置の変化も含んでいる。従って、カメラ筐体２の傾きが変わらずに位置が変わった場合であっても、カメラ筐体２の位置の変化を検出することにより覗き込み動作を間接的に検知してもよい。
他にも、静電センサ６１を用いて使用者が撮像装置１のシャッターボタンに触れていることを検知することにより、ＥＶＦモニタ７の覗き込み動作を間接的に検知する。
【００４０】
また、ＥＶＦモニタ７の覗き込み動作の検知だけでなく、ＥＶＦモニタ７を覗き込んでいない状態を検知してもよい。例えば、チルトセンサ６２を用いて背面モニタ５のカメラ筐体２に対する角度を検知することにより、背面モニタ５を視認している状態を検知してもよい。背面モニタ５を視認している状態は、ＥＶＦモニタ７を覗き込んでいない状態と推測できる。
なお、チルトセンサがＥＶＦモニタ７のカメラ筐体２の角度を検知するのではなく、カメラ筐体２に対する位置を検知するように構成されていてもよい。
【００４１】
記憶部５７は、例えば不揮発性メモリからなり、静止画データや動画データ等の画像ファイル（コンテンツファイル）や、画像ファイルの属性情報、サムネイル画像等を記憶する記憶領域として機能する。
画像ファイルは、例えばＪＰＥＧ（Joint Photographic Experts Group）、ＴＩＦＦ（Tagged Image File Format）、ＧＩＦ（Graphics Interchange Format）等の形式で記憶される。
記憶部５７の実際の形態は多様に考えられる。例えば、記憶部５７が撮像装置１に内蔵されるフラッシュメモリとして構成されていてもよいし、撮像装置１に着脱できるメモリカード（例えば可搬型のフラッシュメモリ）と該メモリカードに対して記憶や読み出しのためのアクセスを行うアクセス部とで構成されていてもよい。また撮像装置１に内蔵されている形態としてＨＤＤ（Hard Disk Drive）などとして実現されることもある。
【００４２】
通信部５８は、外部機器との間のデータ通信やネットワーク通信を有線又は無線で行う。
例えば外部の表示装置、記録装置、再生装置等の間で撮像画像データ（静止画ファイルや動画ファイル）の送受信を行う。
また、ネットワーク通信部として、例えばインターネット、ホームネットワーク、ＬＡＮ（Local Area Network）等の各種のネットワークによる通信を行い、ネットワーク上のサーバ、端末等との間で各種データの送受信を行うようにしてもよい。
【００４３】
背面モニタ５及びＥＶＦモニタ７に対する制御部５２の動作について、図４を参照して説明する。
制御部５２は、背面モニタ５及びＥＶＦモニタ７と各種の信号線で接続されている。
制御部５２からＥＶＦモニタ７に対しては、コマンドを送信するためのコマンド信号線７０と、クロック信号を送信するためのクロック信号線７１と、表示データを表示するための同期信号（水平同期信号及び垂直同期信号）を送信するための２本の同期信号線７２Ｈ，７２Ｖと、表示データを送信するための表示データ線７３とが設けられている。
表示データ線７３は、複数ｂｉｔの信号をパラレル伝送可能な構成とされている。例えば表示データ線７３が２４本設けられることにより、２４ｂｉｔのデータを並列に送信可能とされている。
表示データ線７３は、ＥＶＦモニタ７だけでなく背面モニタ５にも接続されている。従って、ＥＶＦモニタ７及び背面モニタ５には、制御部５２から表示データが共通に送信される。
【００４４】
制御部５２から背面モニタ５に対しては、コマンドを送信するためのコマンド信号線８０と、クロック信号を送信するためのクロック信号線８１と、表示データを表示するための同期信号（水平同期信号及び垂直同期信号）を送信するための２本の同期信号線８２Ｈ，８２Ｖとが設けられている。
【００４５】
＜２．状態遷移＞
続いて、制御部５２による制御によって背面モニタ５及びＥＶＦモニタ７が取り得る状態について図５を参照して説明する。
背面モニタ５及びＥＶＦモニタ７には、前述したように表示データが制御部５２から共通に送信されている。表示データは、背面モニタ５用の表示データ（以降、「背面モニタ用表示データ」と記載）とＥＶＦモニタ７用の表示データ（以降、「ＥＶＦモニタ用表示データ」と記載）の何れかとされる。
背面モニタ用表示データとＥＶＦモニタ用表示データは、解像度が異なる画像データとされ、背面用モニタ用表示データの方が高解像度の場合もあれば、ＥＶＦモニタ用表示データの方が高解像度の場合もある。
背面モニタ５にとっては、ＥＶＦモニタ用表示データを受信している場合に正しく画像データが表示されない虞がある。同様に、ＥＶＦモニタ７にとっては、背面モニタ用表示データを受信している場合に正しく画像データが表示されない虞がある。
【００４６】
そのために、制御部５２は、背面モニタ５及びＥＶＦモニタ７をそれぞれ３種類の状態の何れかに制御する。具体的には、それぞれのモニタが「停止状態」、「待機状態」、「表示状態」の３種類の状態を取り得る。
【００４７】
例えば、背面モニタ５の「停止状態」は、クロック信号線８１及び同期信号線８２Ｈ，８２Ｖによる信号の印加は行われておらず、背面モニタ５が起動していない状態とされる。
【００４８】
また、背面モニタ５の「待機状態」は、クロック信号線８１によって背面モニタ５用のクロック信号が印加されると共に同期信号線８２Ｈ，８２Ｖにより背面モニタ５用の同期信号が印加されているが、制御部５２により「黒画像表示コマンド」が送信されている状態とされる。
「黒画像表示コマンド」は、表示データ線７３を介して何れの表示データが入力されているかに関わらず、黒画像を表示させるためのコマンドとされる。従って、背面モニタ５やＥＶＦモニタ７は、コマンド信号線７０やコマンド信号線８０を介して制御部５２から「黒画像表示コマンド」を受信した場合に黒画像を自走させることが可能な構成とされている。
【００４９】
背面モニタ５の「表示状態」は、クロック信号線８１によって背面モニタ５用のクロック信号が印加されると共に同期信号線８２Ｈ，８２Ｖにより背面モニタ５用の同期信号が印加された状態とされる。また、表示データ線７３を介して背面モニタ用表示データを受信しており、黒画像表示コマンドを受信していない状態とされている。
【００５０】
なお、制御部５２は、使用者がＥＶＦモニタ７を覗き込んでいるか否かを判定し、その判定結果に応じて背面モニタ５及びＥＶＦモニタ７に対する各種のコマンド送信を行う。
【００５１】
以降の説明においては、クロック信号線８１を介して背面モニタ５用のクロック信号を背面モニタ５に印加することを、単に「背面モニタ用クロック信号を印加する」と記載する。同様に、同期信号線８２Ｈ，８２Ｖを介して背面モニタ５用の水平同期信号及び垂直同期信号を背面モニタ５に印加することを「背面モニタ用同期信号を印加する」と記載する。また、コマンド信号線８０を介して起動コマンドを背面モニタ５に送信することを「背面モニタ５に起動コマンドを送信する」、「背面モニタ５に起動指示を行う」などと記載する。そして、表示データ線７３を介して各モニタには背面モニタ用表示データを送信することを単に「背面モニタ用表示データを送信する」と記載する。また、表示データ線７３を介して各モニタに送信する表示データを背面モニタ用表示データからＥＶＦモニタ用表示データへ切り換えることを単に「背面モニタ用表示データに切り換える」と記載する。
【００５２】
撮像装置１の電源が落とされた状態においては、背面モニタ５及びＥＶＦモニタ７は共に停止状態とされている（Ｓｔａｔｅ＝０）。
撮像装置１の電源が入ると、各部に給電されると共に背面モニタ５が表示状態となる（Ｓｔａｔｅ＝１）。このとき、ＥＶＦモニタ７は停止状態のままとされる。
【００５３】
Ｓｔａｔｅ＝１の状態において、使用者がＥＶＦモニタ７の覗き込みを行っていることを検知していない場合には、Ｓｔａｔｅ＝１の状態を維持する。
Ｓｔａｔｅ＝１の状態において、使用者がＥＶＦモニタ７の覗き込みを行っていることや覗き込みを行おうとしていることを検知すると、背面モニタ５を表示状態としたままＥＶＦモニタ７を待機状態とする（Ｓｔａｔｅ＝２）か、または背面モニタ５を待機状態としＥＶＦモニタ７を表示状態とする（Ｓｔａｔｅ＝３）。
【００５４】
Ｓｔａｔｅ＝２の状態において、使用者がＥＶＦモニタ７の覗き込みを行っていない時間が長いことを検知すると、ＥＶＦモニタ７が停止状態となる（Ｓｔａｔｅ＝１）。
また、Ｓｔａｔｅ＝２の状態において、使用者がＥＶＦモニタ７の覗き込みを行いそうな状態のままである場合には、Ｓｔａｔｅ＝２の状態を維持し、覗き込みを行っている状態を検知した場合には、背面モニタ５を待機状態としＥＶＦモニタ７を表示状態とする（Ｓｔａｔｅ＝３）。
【００５５】
Ｓｔａｔｅ＝３の状態において、使用者がＥＶＦモニタ７の覗き込みを行っていることを検知している場合には、Ｓｔａｔｅ＝３の状態を維持するか、背面モニタ５を停止状態とする（Ｓｔａｔｅ＝４）。
Ｓｔａｔｅ＝３の状態において、使用者がＥＶＦモニタ７の覗き込みを行っていないことを検知した場合には、背面モニタ５を表示状態としＥＶＦモニタ７を待機状態とするか（Ｓｔａｔｅ＝２）、或いは、背面モニタ５を表示状態としＥＶＦモニタ７を停止状態とする（Ｓｔａｔｅ＝１）。
【００５６】
Ｓｔａｔｅ＝４の状態において、使用者がＥＶＦモニタ７の覗き込みを続けていることを検知した場合には、Ｓｔａｔｅ＝４の状態を維持する。また、Ｓｔａｔｅ＝４の状態において、使用者がＥＶＦモニタ７の覗き込みを行っていないことを検知した場合には、背面モニタ５を表示状態としＥＶＦモニタ７を待機状態とするか（Ｓｔａｔｅ＝２）、或いは、背面モニタ５を表示状態としＥＶＦモニタ７を停止状態とする（Ｓｔａｔｅ＝１）。
【００５７】
Ｓｔａｔｅ＝１，２，３，４の各状態から撮像装置１の電源が落とされると、Ｓｔａｔｅ＝０の状態へと遷移する。
【００５８】
＜３．各例との比較＞
ところで、以降の実施の形態で説明する撮像装置１とは異なる撮像装置が背面モニタ１０５やＥＶＦモニタ１０７などの複数のモニタを備えており、且つ使用者の挙動などに応じて表示モニタを切り換える場合には、図６のような構成が考えられる。
具体的には、制御部１５２とＥＶＦモニタ１０７の間に、コマンドを送信するためのコマンド信号線１７０と、クロック信号を送信するためのクロック信号線１７１と、表示データを表示するための同期信号を送信するための２本の同期信号線１７２Ｈ，１７２Ｖと、表示データを送信するための表示データ線１７３とが設けられている。更に、コマンド信号線１７０と、クロック信号線１７１と、同期信号線１７２Ｈ，１７２Ｖと、表示データ線１７３は背面モニタ１０５にも接続されている。
即ち、各信号線が背面モニタ１０５及びＥＶＦモニタ１０７の間で共通とされている。
【００５９】
このような構成において、例えば背面モニタ１０５からＥＶＦモニタ１０７に表示を切り替える場合には、例えば図７のような流れとなる。
背面モニタ１０５の表示状態において、制御部１５２は背面モニタ１０５に対して停止コマンドを送信することにより表示を停止させるための指示を行う。停止コマンドを受信した背面モニタ１０５は表示を停止させるための処理を行う停止遷移状態へと移行する。
背面モニタ１０５の停止遷移状態においては、制御部１５２からクロック信号線１７１及び同期信号線１７２Ｈ，１７２Ｖを介して背面モニタ用のクロック信号及び同期信号が印加されている必要があるため、クロック信号及び同期信号をＥＶＦモニタ１０７用に切り換えることはできない。
また、クロック信号及び同期信号が背面モニタ用である場合には、ＥＶＦモニタ１０７は起動遷移状態に移ることはできない。
【００６０】
背面モニタ１０５が停止遷移を終え停止状態になると、制御部１５２はクロック信号及び同期信号をＥＶＦモニタ１０７用に切り換える。クロック信号及び同期信号をＥＶＦモニタ１０７用に切り換えたことにより、初めてＥＶＦモニタ１０７は起動のための動作を行うことが可能となる。
従って、制御部１５２は、ＥＶＦモニタ１０７に対して起動コマンドを送信することにより起動指示を行う。
起動コマンドを受信したＥＶＦモニタ１０７は、起動遷移状態を経て表示状態へと遷移する。
【００６１】
図７に示すように、制御部１５２が背面モニタ１０５に停止コマンドを送信してからＥＶＦモニタ１０７の起動遷移状態が終了するまでの間は、何れのモニタも閲覧できないモニタ非表示期間とされている。
従って、各信号線が背面モニタ１０５及びＥＶＦモニタ１０７の間で共通とされているような図６に示す構成では、上述したような時系列においての制約が存在するため、モニタ非表示期間が長くなってしまう問題がある。非表示期間が長くなってしまうと、ユーザがＥＶＦモニタ１０７を覗き込んで撮像タイミングをはかろうとしているにも関わらずスルー画が表示されずに撮像タイミングを逸することがある。また、ＥＶＦモニタ１０７を覗き込んでいるにも関わらずスルー画が表示されない時間が長すぎると、使用者がもどかしさを感じてしまう虞がある。
【００６２】
そこで、上記した構成以外の撮像装置であって背面モニタ２０５やＥＶＦモニタ２０７などの複数のモニタを備える撮像装置においては、図８に示すような構成も考えられる。具体的には、制御部２５２とＥＶＦモニタ２０７の間に、コマンドを送信するためのコマンド信号線２７０と、クロック信号を送信するためのクロック信号線２７１と、表示データを表示するための同期信号を送信するための２本の同期信号線２７２Ｈ，２７２Ｖと、表示データを送信するための表示データ線２７３とが設けられている。
また、制御部２５２と背面モニタ２０５の間に、コマンドを送信するためのコマンド信号線２８０と、クロック信号を送信するためのクロック信号線２８１と、表示データを表示するための同期信号を送信するための２本の同期信号線２８２Ｈ，２８２Ｖと、表示データを送信するための表示データ線２８３とが設けられている。
【００６３】
このように全ての信号線を独立して設けることで、背面モニタ２０５とＥＶＦモニタ２０７の起動及び停止を独立して行うことができるため、モニタ非表示期間を短縮することが可能である。
【００６４】
ところが、図８のような構成とされた撮像措置では、制御部２５２として動作するＩＣに設けられる信号線の数が多くなってしまうため、ＩＣのサイズ及びＩＣが載置された基板も大きなサイズとなってしまう。延いては、撮像装置自体の大型化を来してしまう。
また、モニタの切り替えを行わずに常に複数のモニタを表示状態としておくことでモニタ表示期間を無くすように制御する場合には、消費電力が大きくなってしまい、撮像装置に取り付けられるバッテリーの大型化を来してしまう虞や、撮像時間や撮像枚数が減少してしまう虞がある。
【００６５】
比較して本実施の形態に示す撮像装置１の構成によれば、図６に示す構成に対して信号線が３本（クロック信号線１本と同期信号線２本）の増加のみに押さえることができるため、図８に示す構成を採用した場合のようにＩＣのサイズが極端に大きくなってしまう可能性を排除することができる。
また、背面モニタ５用のクロック信号線８１と同期信号線８２Ｈ，８２Ｖと、ＥＶＦモニタ７用のクロック信号線７１と同期信号線７２Ｈ，７２Ｖが別々に設けられていることにより、モニタの切り替えの高速化を図ることができる。
【００６６】
具体的に、図９を参照して説明する。なお、各タイミングをｔ１〜ｔ５で図中に示す。
図９は、使用者の挙動などに応じて表示データを表示させるモニタを背面モニタ５からＥＶＦモニタ７へ切り換える場合を示している。
先ず、制御部５２は、背面モニタ５が表示状態とされている間にＥＶＦモニタ用クロック信号とＥＶＦモニタ用同期信号の印加を開始する（ｔ１）。これにより、ＥＶＦモニタ７の起動開始が可能となるため、制御部５２はＥＶＦモニタ７に対する起動コマンド及び黒画像表示コマンドを送信することによる起動指示及び黒画像表示指示を行う（ｔ１）。
起動コマンドを受信したＥＶＦモニタ７は、起動遷移状態（ｔ１〜ｔ２）を介して起動するが、黒画像表示コマンドを受信しているため、黒画像を自走する黒画像表示状態へと遷移する（ｔ２）。
【００６７】
次に制御部５２は、背面モニタ５に対して黒画像表示コマンド及び停止コマンドを送信して停止指示を行う（ｔ３）。これにより、背面モニタ５は黒画像を自走した状態で停止遷移状態へ移行し（ｔ３〜ｔ５）、停止状態へと遷移する（ｔ５）。背面モニタ５が停止状態に遷移したことに応じて、背面モニタ用クロック信号及び背面モニタ用同期信号の印加を停止する（ｔ５）。
また、制御部５２は、背面モニタ５に対する停止指示を行うと共に表示データ線７３を用いて送信する表示データをＥＶＦモニタ用表示データに切り換える（ｔ３）。該切り替え処理が終わった後は、表示データ線７３で双方のモニタにＥＶＦモニタ用表示データが送信される（ｔ４以降）。
【００６８】
制御部５２は、該切り替え後にＥＶＦモニタ７に対する黒画像解除コマンドを送信することにより黒画像表示を終了させる指示を行う（ｔ４）。
ＥＶＦモニタ７は、該指示を受けて黒画像を自走している状態を停止して受信したＥＶＦモニタ用表示データをモニタ上に表示させる。
従って、双方のモニタに表示データが表示されていないモニタ非表示期間は、表示データ線７３を用いて送信する表示データの切り替え時間と略同じ時間（即ちｔ３からｔ４まで）とされている。
即ち、モニタ非表示期間の短縮が図られる。
以降では、制御部５２が行う各指示のタイミングについて具体的に説明する。
【００６９】
＜４．各処理＞
図１０乃至図２１の各図を参照して、制御部５２が実行する各処理について説明する。
図１０、図１１及び図１２の各図は、撮像装置１に電源が投入されてから検出部５６が備える近接センサ５９の検出値に応じて制御部５２が背面モニタ５及びＥＶＦモニタ７の状態を変更させる状態遷移処理のフローチャートである。
【００７０】
制御部５２は、近接センサ５９を用いるにあたり、二つの変数を使用する。変数の一つは、ＥＶＦモニタ７の覗き込み動作を行っていない時間をカウントするカウンタであり、検出カウンタＣＴ１とする。検出カウンタＣＴ１はＥＶＦモニタ７を待機状態とするか停止状態とするかを判定するために用いられる。検出カウンタＣＴ１は主にＳｔａｔｅ＝２の状態で使用されるカウンタである。
もう一つの変数は、ＥＶＦモニタ７を覗き込み続けている時間をカウントするカウンタであり、こちらを検出カウンタＣＴ２とする。検出カウンタＣＴ２は背面モニタ５を待機状態とするか停止状態とするかを判定するために用いられる。検出カウンタＣＴ２は主にＳｔａｔｅ＝３の状態で使用されるカウンタである。
また、制御部５２は、各図に示す処理を実行するために、背面モニタ５及びＥＶＦモニタ７の状態の組合せを表すＳｔａｔｅ変数を管理する。Ｓｔａｔｅ変数は、前述したように０乃至４のいずれかの数値とされる。
【００７１】
撮像装置１に電源が投入されると、制御部５２は、図１０に示すステップＳ１０１で初期化処理を実行する。初期化処理では、先ず検出カウンタＣＴ１及び検出カウンタＣＴ２を０で初期化する。また、背面モニタ５に対して、背面モニタ用クロック信号を印加すると共に背面モニタ用同期信号を印加する。
更に、初期化処理では、背面モニタ５に起動コマンドを送信し、Ｓｔａｔｅ＝０からＳｔａｔｅ＝１へ状態遷移する。即ちＳｔａｔｅ変数を１にする。このとき、各モニタには背面モニタ用表示データが送信される。
他にも、初期化処理では、撮像装置１の使用に必要な各部の起動処理等が実行されるが、詳細は省略する。
【００７２】
続いて、制御部５２はステップＳ１０２において、チルトセンサ６２の出力を用いて背面モニタ５が張出位置に位置しているか否かを判定する。なお、図１０乃至図１２に示す例は、近接センサ５９以外にチルトセンサ６２を用いた場合の例であり、近接センサ５９のみを用いて状態遷移処理を行う場合はステップＳ１０２乃至Ｓ１０４を行わなくてもよい。
背面モニタ５が張出位置に位置していることが検出された場合、制御部５２は、ステップＳ１０３でＳｔａｔｅ＝１の状態へと遷移する。ステップＳ１０３の処理は、起動処理直後のＳｔａｔｅ＝１の状態で実行されるだけでなく、Ｓｔａｔｅ＝２，３，４の何れかの状態で実行されることもある。従って、現在の状態に応じた処理が実行される。
【００７３】
なお、既にＳｔａｔｅ＝１の状態である場合には、何も実行しなくてもよい。
また、Ｓｔａｔｅ＝２の状態である場合には、制御部５２はステップＳ１０３の移行処理として図１３に示す「ＥＶＦモニタ停止処理」を実行する。即ち、制御部５２は、ステップＳ２０１でＥＶＦモニタ７に停止コマンドを送信し、ステップＳ２０２でＥＶＦモニタ用クロック信号及びＥＶＦモニタ用同期信号の送信を停止する。
【００７４】
また、Ｓｔａｔｅ＝３の状態である場合には、制御部５２はＳ１０３の移行処理として図１４に示す「背面モニタ切り替え及びＥＶＦモニタ停止処理」を実行する。即ち、制御部５２は、ステップＳ３０１でＥＶＦモニタ７に黒画像表示コマンドを送信する。これは、これから表示対象となるモニタをＥＶＦモニタ７から背面モニタ５に変更するため、不適な画像をＥＶＦモニタ７に表示させないためである。
【００７５】
続いて、制御部５２はステップＳ３０２で、ＥＶＦモニタ停止指示コマンドを送信する。これにより、ＥＶＦモニタ７は停止遷移状態へ移行した後、停止される。
次に、制御部５２はステップＳ３０３で、背面モニタ用表示データに切り換える処理を行う。この時点では、背面モニタ５は待機状態とされている。即ち、背面モニタ５が起動されており、且つ、黒画像表示状態とされている。
【００７６】
そして、制御部５２はステップＳ３０４で、背面モニタ５に対して黒画像解除コマンドを送信する。これにより、背面モニタ５に表示データに基づく画像が表示されるが、制御部５２から送信される表示データは既に背面モニタ５に適した背面モニタ用表示データとなっているため、適切な画像表示が行われる。
最後に、ＥＶＦモニタ７が停止したことに応じて、制御部５２はステップＳ３０５でＥＶＦモニタ用クロック信号及びＥＶＦモニタ用同期信号の送信を停止する。
【００７７】
図１０のステップＳ１０３の説明に戻る。ステップＳ１０３を実行する際にＳｔａｔｅ＝４の状態である場合には、制御部５２はＳ１０３の移行処理として図１５に示す「背面モニタ起動及びＥＶＦモニタ停止処理」を実行する。Ｓｔａｔｅ＝４の状態は、背面モニタ５が停止状態であり、ＥＶＦモニタ７が表示状態である。
従って、制御部５２は先ずステップＳ４０１で、背面モニタ用クロック信号及び背面モニタ用同期信号を印加する。これにより、背面モニタ５の起動が可能となる。
次に、制御部５２はステップＳ４０２で、背面モニタ５に起動コマンドを送信する。これにより、背面モニタ５は起動遷移状態へと移行する。
そして、制御部５２はステップＳ４０３で、背面モニタ５に黒画像表示コマンドを送信する。これにより、制御部５２から送信されてくる表示データが背面モニタ用表示データに切り替わる前に背面モニタ５の起動が終わってしまっても黒画像が自走されるため、不適切な画像を表示させず済む。
【００７８】
制御部５２は、次に現在表示中であるＥＶＦモニタ７を停止させるための処理を行う。
先ず、制御部５２はステップＳ４０４で、ＥＶＦモニタ７に対して黒画像表示コマンドを送信し、次にステップＳ４０５でＥＶＦモニタ７に対する停止コマンドを送信する。これにより、ＥＶＦモニタ７が停止する前に制御部５２から送信されてくる表示データが背面モニタ用表示データに切り替わってしまっても黒画像が自走された状態であるため、不適切な画像を表示させずに済む。また、ＥＶＦモニタ７は、この後停止遷移状態を経て停止状態へと移行する。
【００７９】
制御部５２は、続いてステップＳ４０６で背面モニタ用表示データへの切り替え処理を行い、ステップＳ４０７で背面モニタ５に対して黒画像解除コマンドを送信する。
最後に、ＥＶＦモニタ７が停止したことに応じて、制御部５２はステップＳ４０８でＥＶＦモニタ用クロック信号及びＥＶＦモニタ用同期信号の送信を停止する。
【００８０】
図１０の説明に戻る。
ステップＳ１０３の処理でＳｔａｔｅ＝１へ移行するための各処理を実行した後、制御部５２はステップＳ１０４でＳｔａｔｅ変数を１へと変更する。なお、既にＳｔａｔｅ変数が１である場合には、何も行わずに次の処理に移ってもよい。
ここで説明したように、背面モニタが背面モニタ５が張出位置に位置した状態においては、ステップＳ１０２乃至Ｓ１０４の各処理を継続的に実行する。
【００８１】
ステップＳ１０２で背面モニタ５が張出位置でなかった場合、制御部５２は続くステップＳ１０５で、近接センサ５９による出力が第１出力閾値ＴＨ１よりも小さく、且つ背面モニタ５が収納位置であるか否かを判定する。なお、チルトセンサ６２を用いない場合は、背面モニタ５が収納位置であるか否かの判定は行わなくてもよい。
ここで、近接センサ５９の出力について説明する。近接センサ５９は、例えば顔などの物体とＥＶＦモニタ７の近接度合いを出力するセンサであり、物体が近いほど高出力とされる。ステップＳ１０５で用いる第１出力閾値ＴＨ１は後述する第２出力閾値ＴＨ２よりも小さい値である。即ち、近接センサ５９の出力が第１出力閾値ＴＨ１よりも小さい場合は、遠くに物体を検知している状態か、或いは物体を未検知である状態とされる。近接センサ５９の出力が第１出力閾値ＴＨ１以上且つ第２出力閾値ＴＨ２未満である場合には、物体とＥＶＦモニタ７がある程度近い状態とされる。近接センサ５９の出力が第２出力閾値ＴＨ２以上である場合には、物体とＥＶＦモニタ７の距離がかなり近い状態であり、使用者がＥＶＦモニタ７の覗き込みを行っていると推測される状態である。
【００８２】
ステップＳ１０５において、近接センサ５９の出力が第１出力閾値ＴＨ１未満であり、且つ、背面モニタ５が収納位置に位置していると判定された場合、制御部５２はＳｔａｔｅ変数に応じた各処理を行っていく。
先ず、制御部５２はステップＳ１０６で、Ｓｔａｔｅ変数が１であるか否かを判定する。Ｓｔａｔｅ変数が１である場合、即ち背面モニタ５が表示状態とされＥＶＦモニタ７が停止状態とされている場合には、何もせずにステップＳ１０２の処理へと遷移する。なお、Ｓｔａｔｅ変数が１である場合とは、例えば、撮像装置１の電源投入直後などの状態や、使用者によるＥＶＦモニタ７の覗き込み動作を検知していなかった場合などである。
【００８３】
次に、Ｓｔａｔｅ変数が１でなかった場合、制御部５２はステップＳ１０７でＳｔａｔｅ変数が２であるか否かを判定する。Ｓｔａｔｅ変数が２である場合、即ち、背面モニタ５が表示状態とされＥＶＦモニタ７が待機状態とされている場合、制御部５２はステップＳ１０８で、検出カウンタＣＴ１が第１カウンタ閾値ＣＴＨ１以下であるか否かを判定する。なお、Ｓｔａｔｅ変数が２である場合とは、例えば、使用者がＥＶＦモニタ７を覗き込み動作を行おうとしていることを検知し続けていた状態などである。
検出カウンタＣＴ１は前述したようにＥＶＦモニタ７の覗き込み動作を行っていない時間をカウントする変数であり、該変数が第１カウンタ閾値ＣＴＨ１以下である状態は覗き込み動作を終了してから時間がそれほど経っていない状態である。即ち、再度ＥＶＦモニタ７を覗き込む可能性があるため、ＥＶＦモニタ７を待機状態としておくことが望ましい。
従って、検出カウンタＣＴ１が第１カウンタ閾値ＣＴＨ１以下である場合、制御部５２はステップＳ１０９で検出カウンタＣＴ１に１を加算する処理を行い、後述するステップＳ１１７へと遷移する。
一方、検出カウンタＣＴ１が第１カウンタ閾値ＣＴＨ１よりも大きい場合、ＥＶＦモニタ７の覗き込み動作を終了してからある程度時間が経っているため、ＥＶＦモニタ７の覗き込みを行う可能性が低いと判断し、制御部５２はステップＳ１１０の「ＥＶＦモニタ停止処理」（図１３参照）を実行し、続くステップＳ１１１でＳｔａｔｅ変数を１にする処理を実行する。即ち、Ｓｔａｔｅ＝２の状態からＳｔａｔｅ＝１の状態へと遷移する。図１３に示す各処理は前述したため、省略する。
【００８４】
続いて、Ｓｔａｔｅ変数が１でも２でもなかった場合、制御部５２はステップＳ１１２でＳｔａｔｅ変数が３であるか否かを判定する。
Ｓｔａｔｅ変数が３である場合、即ち、背面モニタ５が待機状態とされＥＶＦモニタ７が表示状態とされている場合には、制御部５２はステップＳ１１３で「背面モニタ切り替え処理」を実行した後、ステップＳ１１４でＳｔａｔｅ変数を２にする処理を実行する。即ち、Ｓｔａｔｅ＝３の状態からＳｔａｔｅ＝２の状態へと遷移する。
なお、Ｓｔａｔｅ変数が３である場合とは、例えば、使用者の覗き込み動作を検知していた状態などである。
【００８５】
ここで、ステップＳ１１３の「背面モニタ切り替え処理」について説明する。「背面モニタ切り替え処理」のフローチャートが図１６である。
「背面モニタ切り替え処理」では、先ず制御部５２はステップＳ５０１で、ＥＶＦモニタに黒画像表示コマンドを送信する。Ｓｔａｔｅ＝３の状態は、背面モニタ５が待機状態とされＥＶＦモニタ７が表示状態とされている。即ち、背面モニタ５及びＥＶＦモニタ７の双方にそれぞれクロック信号と同期信号が印加されているため、ＥＶＦモニタ７は黒画像表示コマンドに応じた動作が可能である。
【００８６】
続いて制御部５２は、ステップＳ５０２で背面モニタ用表示データへの切り替えを行い、ステップＳ５０３で背面モニタ５に対する黒画像解除コマンドを送信する。
これにより、背面モニタ５には表示データに基づく画像が表示されると共に、ＥＶＦモニタ７には黒画像が自走される。
最後に、制御部５２は、Ｓｔａｔｅ＝２で使用される変数である検出カウンタＣＴ１を０クリアする処理をステップＳ５０４で行う。
【００８７】
図１０の説明に戻る。「背面モニタ切り替え処理」を実行した制御部５２は、続くステップＳ１１４でＳｔａｔｅ変数を２にする処理を実行した後、後述するステップＳ１１７の処理へと移る。
【００８８】
ステップＳ１１２の判定の結果、Ｓｔａｔｅ変数が３でなかった場合、即ちＳｔａｔｅ変数が４である場合、制御部５２は続くステップＳ１１５で「背面モニタ起動処理」を実行する。
Ｓｔａｔｅ＝４の状態は、背面モニタ５が停止状態とされ、ＥＶＦモニタ７が表示状態とされている。この状態は、例えば、使用者の覗き込み動作を検知し続けていた場合などである。
「背面モニタ起動処理」のフローチャートを図１７に示す。
先ず、制御部５２はステップＳ６０１で、各種コマンドに応じた動作を背面モニタ５ができるように、背面モニタ用クロック信号と背面モニタ用同期信号の印加を開始する。
続いて、制御部５２はステップＳ６０２で、背面モニタ５に起動コマンドを送信し、ステップＳ６０３で背面モニタ５に黒画像表示コマンドを送信する。これにより背面モニタ５が起動遷移状態へと移行する。また、背面モニタ５が起動した後は黒画像が自走された状態になる。
【００８９】
次に、制御部５２はステップＳ６０４でＥＶＦモニタ７に黒画像表示コマンドを送信する。これにより、ＥＶＦモニタ７に黒画像が自走された状態となる。
制御部５２は、ステップＳ６０５で背面モニタ用表示データへの切り替えを行い、背面モニタ５が起動したことに応じてステップＳ６０６で背面モニタ５に黒画像解除コマンドを送信する。
これにより、背面モニタ５が表示状態となり、ＥＶＦモニタ７が待機状態となる。
最後に、制御部５２はステップＳ６０７で検出カウンタＣＴ１を０クリアする処理を行う。
ステップＳ１１５の「背面モニタ起動処理」の後、制御部５２はステップＳ１１６でＳｔａｔｅ変数を２にする処理を行う。
これにより、撮像装置１はＳｔａｔｅ＝２の状態へと遷移する。
【００９０】
ステップＳ１０５で近接センサ５９の出力が第１出力閾値ＴＨ１以上である場合、または背面モニタ５が張出位置に位置している場合、または、その双方である場合、制御部５２は図１１のステップＳ１１７の処理を行う。ステップＳ１１７の処理は、他にも、ステップＳ１０９，Ｓ１１１，Ｓ１１４，Ｓ１１６の各処理を行った後に実行される。
【００９１】
ステップＳ１１７では、制御部５２は、近接センサ５９の出力が第１出力閾値ＴＨ１以上且つ第２出力閾値ＴＨ２未満であるか、そして背面モニタ５が収納位置に位置しているか否かを判定する。なお、チルトセンサ６２を用いない場合は、背面モニタ５が収納位置であるか否かの判定は行わなくてもよい。
近接センサ５９の出力が第１出力閾値ＴＨ１以上且つ第２出力閾値ＴＨ２未満となる状態は、即ち、物体とＥＶＦモニタ７がある程度近い状態とされる。
従って、ステップＳ１１７では、物体とＥＶＦモニタ７がある程度近く、且つ、背面モニタ５が収納位置に位置しているか否かを判定する。
物体とＥＶＦモニタ７がある程度近く、且つ、背面モニタ５が収納位置に位置している場合、使用者がＥＶＦモニタ７の覗き込み動作を行う可能性が高いため、制御部５２は以降の処理でＳｔａｔｅ変数に応じた各処理を行った後、Ｓｔａｔｅ＝２の状態へと遷移する。なお、Ｓｔａｔｅ＝２の状態は、ＥＶＦモニタ７が待機状態とされる。
【００９２】
先ず、Ｓｔａｔｅ変数が１であるか否かを制御部５２はステップＳ１１８で判定する。
Ｓｔａｔｅ変数が１である場合、制御部５２は続くステップＳ１１９で「ＥＶＦモニタ待機処理」を実行し、ステップＳ１２０でＳｔａｔｅ変数を２にした後、後述するステップＳ１２８の処理へと遷移する。
ステップＳ１１９の「ＥＶＦモニタ待機処理」のフローチャートが図１８である。
【００９３】
「ＥＶＦモニタ待機処理」では、制御部５２はステップＳ７０１で、コマンドに応じた動作が可能となるようにＥＶＦモニタ用クロック信号とＥＶＦモニタ用同期信号の印加を開始する。
続いて、制御部５２は、ステップＳ７０２でＥＶＦモニタ７に起動コマンドを送信し、ステップＳ７０３でＥＶＦモニタ７に黒画像表示コマンドを送信する。これにより、ＥＶＦモニタ７は起動遷移状態へと移行し、起動後は黒画像を自走する。
制御部５２はステップＳ７０４で検出カウンタＣＴ１を０クリアした後、「ＥＶＦモニタ待機処理」を終える。
【００９４】
図１１の説明に戻る。
Ｓｔａｔｅ変数が１でなかった場合、制御部５２は続くステップＳ１２１でＳｔａｔｅ変数が２であるか否かを判定する。Ｓｔａｔｅ変数が既に２であった場合、制御部５２はステップＳ１２２で検出カウンタＣＴ１を０クリアした後、後述するステップＳ１２８へと移る。
【００９５】
Ｓｔａｔｅ変数が２でもなかった場合、制御部５２はステップＳ１２３でＳｔａｔｅ変数が３であるか否かを判定する。
Ｓｔａｔｅ変数が３である場合、即ち、ＥＶＦモニタ７が表示状態とされ背面モニタ５が待機状態とされている場合、制御部５２はステップＳ１２４の「背面モニタ切り替え処理」（図１６参照）を実行し、ステップＳ１２５でＳｔａｔｅ変数を２にし、後述するステップＳ１２８の処理へと移る。図１６の「背面モニタ切り替え処理」についての説明は既述のため省略する。
【００９６】
Ｓｔａｔｅ変数が３でない場合、即ちＳｔａｔｅ変数が４である場合、制御部５２はステップＳ１２６で「背面モニタ起動処理」（図１７参照）」を実行し、ステップＳ１２７でＳｔａｔｅ変数を２にした後、後述するステップＳ１２８へと移る。図１７の「背面モニタ起動処理」についての説明も既述であるため、省略する。
【００９７】
ステップＳ１１７で近接センサの出力が第１出力閾値ＴＨ１未満である場合、或いは、第２出力閾値ＴＨ２以上である場合、または、モニタが張出位置に位置されている場合には、制御部５２は図１２のステップＳ１２８の判定処理を実行する。
ステップＳ１２８の判定処理は、他にも図１１のステップＳ１２０，Ｓ１２２，Ｓ１２５，Ｓ１２７の処理の後に実行される。
【００９８】
ステップＳ１２８では、制御部５２は、近接センサ５９の出力が第２出力閾値ＴＨ２以上であるか否か、そして背面モニタ５が収納位置であるか否かを判定する。なお、チルトセンサ６２を用いない場合は、背面モニタ５が収納位置であるか否かの判定は行わなくてもよい。
近接センサ５９の出力が第２出力閾値ＴＨ２以上となる状態は、ＥＶＦモニタ７の覗き込み動作を使用者が行っていると推測される状態である。そのため、ＥＶＦモニタ７を表示状態へと遷移させる必要がある。
ステップＳ１２８において、使用者が覗き込みを行っていると推測される状態であり且つ背面モニタ５が収納位置に位置していると判定した場合には、制御部５２は以降の処理でＳｔａｔｅ変数に応じた各処理を行い、ＥＶＦモニタ７を表示状態へと遷移させる。
【００９９】
先ず、制御部５２はステップＳ１２９でＳｔａｔｅ変数が１であるか否かを判定する。Ｓｔａｔｅ変数が１である場合、制御部５２はステップＳ１３０で「ＥＶＦ起動処理」を実行する。
【０１００】
「ＥＶＦモニタ起動処理」のフローチャートが図１９である。
「ＥＶＦモニタ起動処理」において、制御部５２はステップＳ８０１で、ＥＶＦモニタ用クロック信号号とＥＶＦモニタ用同期信号の印加を開始する。これにより、ＥＶＦモニタ７は制御部５２が送信する各種コマンドに応じた動作が可能となる。
続いて、制御部５２は、ステップＳ８０２でＥＶＦモニタ７に起動コマンドを送信し、ステップＳ８０３でＥＶＦモニタ７に黒画像表示コマンドを送信する。
これにより、ＥＶＦモニタ７は起動遷移状態へと移行すると共に、起動後は黒画像を自走する状態となる。
【０１０１】
次に、制御部５２は、ステップＳ８０４で背面モニタ５に黒画像表示コマンドを送信し、ステップＳ８０５でＥＶＦモニタ用表示データへの切り替えを行う。
次に、制御部５２は、ＥＶＦモニタ７が起動したことに応じて、ステップＳ８０６でＥＶＦモニタ７に黒画像解除コマンドを送信する。これにより、ＥＶＦモニタ７に表示データに応じた画像が表示されると共に背面モニタ５には黒画像が自走される。
最後に、制御部５２はステップＳ８０７で検出カウンタＣＴ２を０クリアする。なお、検出カウンタＣＴ２は、前述のように、ＥＶＦモニタ７を覗き込み続けている時間をカウントするカウンタである。
制御部５２は、ステップＳ１３１でＳｔａｔｅ変数を３にした後、図１０に示すステップＳ１０２の処理へと戻る。
【０１０２】
また、Ｓｔａｔｅ変数が１でなかった場合、制御部５２はステップＳ１３２でＳｔａｔｅ変数が２であるか否かを判定する。
Ｓｔａｔｅ変数が２である場合、制御部５２はステップＳ１３３で「ＥＶＦモニタ切り替え処理」を実行する。なお、Ｓｔａｔｅ＝２の状態は、背面モニタ５が表示状態とされ、ＥＶＦモニタ７が待機状態とされている。
【０１０３】
「ＥＶＦモニタ切り替え処理」のフローチャートが図２０である。「ＥＶＦモニタ切り替え処理」では、制御部５２は、先ずステップＳ９０１で背面モニタ５に黒画像表示コマンドを送信し、ステップＳ９０２でＥＶＦモニタ用表示データへの切り替えを行う。
続いて、制御部５２はステップＳ９０３でＥＶＦモニタ７に黒画像解除コマンドを送信する。
これにより、背面モニタ５が表示状態から待機状態へと遷移すると共に、ＥＶＦモニタ７が待機状態から表示状態へと遷移する。
最後に、制御部５２はステップＳ９０４において、Ｓｔａｔｅ＝３の状態で使用する検出カウンタＣＴ２を０クリアする。
なお、背面モニタ５に対する黒画像表示コマンドは、ＥＶＦモニタ用表示データへの切り替え開始から黒画像の自走を開始させるコマンドとされていてもよい。即ち、ＥＶＦモニタ用表示データへの切り替えの開始まではスルー画などの画像が表示されていてもよい。
【０１０４】
「ＥＶＦ切り替え処理」を終えた制御部５２は、ステップＳ１３１でＳｔａｔｅ変数を３にした後、図１０のステップＳ１０２の処理へ戻る。
【０１０５】
図１２の説明に戻る。
Ｓｔａｔｅ変数が２でなかった場合、制御部５２はステップＳ１３４でＳｔａｔｅ変数が３であるか否かを判定する。
Ｓｔａｔｅ変数が３でない場合、即ち、Ｓｔａｔｅ変数が４である場合、制御部５２はステップＳ１３５でＳｔａｔｅ変数を４にして図１０のステップＳ１０２の処理へ戻る。なお、Ｓｔａｔｅ変数は既に４であるため、ステップＳ１３５の処理を行わずにステップＳ１０２へと戻ってもよい。
【０１０６】
Ｓｔａｔｅ変数が３である場合、即ち、ＥＶＦモニタ７が表示状態且つ背面モニタ５が待機状態である場合、制御部５２はＥＶＦモニタ７の覗き込み動作がどの程度続いているかによってＳｔａｔｅ＝３の状態を維持するか、Ｓｔａｔｅ＝４の状態へと遷移するかを決定する。
【０１０７】
具体的には、制御部５２はステップＳ１３６で、検出カウンタＣＴ２が第２カウンタ閾値ＣＴＨ２以下であるか否かを判定する。検出カウンタＣＴ２が第２カウンタ閾値ＣＴＨ２よりも大きい場合、即ち、使用者によるＥＶＦモニタ７の覗き込み動作がある程度長い時間継続している場合、制御部５２はステップＳ１３７で「背面モニタ停止処理」を実行する。
【０１０８】
「背面モニタ停止処理」のフローチャートが図２１である。
「背面モニタ停止処理」では、制御部５２は、ステップＳ１００１で背面モニタ５停止コマンドを送信する。これにより、背面モニタ５は停止遷移状態へと移行する。なお、背面モニタ５は、黒画像表示状態とされているため、停止遷移状態において乱れた画像などの不適切な画像が表示されずに済む。
続いて、背面モニタ５は停止遷移状態を終えたことに応じて、制御部５２はステップＳ１００２で、背面モニタ用クロック信号及び背面モニタ用同期信号の印加を停止する。これにより、背面モニタ５が停止状態へと移行する。
【０１０９】
図１２の説明に戻る。
ステップＳ１３６において、検出カウンタＣＴ２が第２カウンタ閾値ＣＴＨ２以下であると制御部５２が判定した場合、即ち、使用者によるＥＶＦモニタ７の覗き込み動作がそれほど長く続いていない場合、制御部５２はステップＳ１３８で検出カウンタＣＴ２に１を加算し、ステップＳ１３９でＳｔａｔｅ変数を３にした後、図１０のステップＳ１０２の処理へと戻る。なお、Ｓｔａｔｅ変数は既に３であるため、ステップＳ１３９の処理は行わなくてもよい。
【０１１０】
このように、制御部５２は、Ｓｔａｔｅ変数、検出カウンタＣＴ１，検出カウンタＣＴ２、近接センサ５９の出力値、或いは背面モニタ５の姿勢を検知するためのチルトセンサ６２の出力値などを用いて、背面モニタ５及びＥＶＦモニタ７の制御状態を変更する。
【０１１１】
なお、上記した各処理例はあくまで一例であり、場合によっては制御部５２による処理順が変わってもよい。例えば、図１４に示すステップＳ３０２及びＳ３０３の処理は、ステップＳ３０３の後にステップＳ３０２を行うような処理順とされていてもよい。また、背面モニタ５の起動中にＥＶＦモニタ７の停止遷移状態が終了した場合には、先にステップＳ３０５の処理を行った後にステップＳ３０４の処理を行ってもよい。
【０１１２】
＜５．高速化＞
ＥＶＦモニタ７は、使用者が撮像したいタイミングで覗くものであり、覗き込み動作から可能な限り表示データを表示させることが好ましい。そこで、ＥＶＦモニタ７の起動処理の高速化を図る。
具体的には、図１１のステップＳ１１９の「ＥＶＦモニタ待機処理」の高速化（図２２）、及び図１２のステップＳ１３０の「ＥＶＦモニタ起動処理」の高速化（図２３）を図る。
【０１１３】
制御部５２は、ステップＳ１１９の「ＥＶＦモニタ待機処理」の代わりに、ステップＳ１１９Ａの「ＥＶＦモニタ高速待機処理」を実行する。「ＥＶＦモニタ高速待機処理」のフローチャートを図２２に示す。
制御部５２は、ステップＳ７０１Ａにおいて、ＥＶＦモニタ用クロック信号とＥＶＦモニタ用高速同期信号をＥＶＦモニタ７に印加する。例えば、ＥＶＦモニタ７の起動時間がＥＶＦモニタ７用の垂直同期信号に依存する場合には、ＥＶＦモニタ７用の垂直同期信号をＥＶＦモニタ７用の水平同期信号の倍のフレームレートとすることで実現可能である。なお、３倍や４倍などのフレームレートにしてもよい。
続いて、制御部５２はステップＳ７０２ＡでＥＶＦモニタ７に起動コマンドを送信し、ステップＳ７０３ＡでＥＶＦモニタ７に黒画像表示コマンドを送信する。これにより、ＥＶＦモニタ７は起動遷移状態へと移行し、起動後は黒画像を自走する。また、起動遷移状態から起動状態へと移行するまでの時間が短縮される。
【０１１４】
制御部５２は、ステップＳ７０３Ａの後、ステップＳ７０４Ａにおいて、ＥＶＦモニタ用クロック信号とＥＶＦモニタ用通常同期信号を印加する。この例では、ＥＶＦモニタ７用の垂直同期信号だけを倍にしているため、ＥＶＦモニタ７用の垂直同期信号を通常のフレームレートにすればよい。
最後に、制御部５２はステップＳ７０４で検出カウンタＣＴ１を０クリアした後、「ＥＶＦモニタ高速待機処理」を終える。
【０１１５】
図２４Ａは通常の「ＥＶＦモニタ待機処理」（ステップＳ１１９）を示しており、図２４Ｂは「ＥＶＦモニタ高速待機処理」（ステップＳ１１９Ａ）を示している。
図示するように、「ＥＶＦモニタ高速待機処理」では起動遷移に属している時間が通常の「ＥＶＦモニタ待機処理」の略半分の時間とされている。
【０１１６】
上記処理により、起動遷移時間が短縮され、速やかに待機状態（黒画像を自走させている状態）へと遷移する。従って、例えば使用者がＥＶＦモニタ７に対して素早い覗き込み動作を行った場合に、制御部５２はＥＶＦモニタ７に対する黒画像解除コマンドを早い段階で送ることができるため、ＥＶＦモニタ７に表示データに基づく画像が表示されるまでの時間を早めることができる。
【０１１７】
次にステップＳ１３０の「ＥＶＦモニタ起動処理」の代わりに行うステップＳ１３０Ａの「ＥＶＦモニタ高速起動処理」について説明する。
「ＥＶＦモニタ高速起動処理」のフローチャートが図２３である。
制御部５２は、ステップＳ８０１Ａにおいて、ＥＶＦモニタ用クロック信号とＥＶＦモニタ用高速同期信号をＥＶＦモニタ７に印加する。ＥＶＦモニタ用高速同期信号は、例えば、ＥＶＦモニタ７用の垂直同期信号をＥＶＦモニタ７用の水平同期信号の倍のフレームレートとしたものである。
【０１１８】
続いて、制御部５２は、ステップＳ８０２ＡでＥＶＦモニタ７に起動コマンドを送信し、ステップＳ８０３ＡでＥＶＦモニタ７に黒画像表示コマンドを送信する。
これにより、ＥＶＦモニタ７は起動遷移状態へと移行すると共に、起動後は黒画像を自走する状態となる。
【０１１９】
次に、制御部５２は、ステップＳ８０４Ａで背面モニタ５に黒画像表示コマンドを送信し、ステップＳ８０５ＡでＥＶＦモニタ用表示データへの切り替えを行う。そして、制御部５２は、ステップＳ８０６Ａで、ＥＶＦモニタ用クロック信号とＥＶＦモニタ用通常同期信号を印加する。
【０１２０】
次に、制御部５２は、ＥＶＦモニタ７が起動したことに応じ、ステップＳ８０７ＡでＥＶＦモニタ７に黒画像解除コマンドを送信する。これにより、ＥＶＦモニタ７に表示データに応じた画像が表示されると共に背面モニタ５には黒画像が自走される。
最後に、制御部５２はステップＳ８０８Ａで検出カウンタＣＴ２を０クリアする。
【０１２１】
なお、ＥＶＦモニタ７の起動時間がＥＶＦモニタ７用の水平同期信号に依存する場合には、ＥＶＦモニタ用高速同期信号としてＥＶＦモニタ７用の水平同期信号をＥＶＦモニタ７用の垂直同期信号の倍のフレームレートとすればよい。
また、ＥＶＦモニタ７の起動時間がＥＶＦモニタ７用のクロック信号に依存する場合には、ＥＶＦモニタ高速同期信号の代わりにＥＶＦモニタ高速クロック信号をＥＶＦモニタ７に印加すればよい。
【０１２２】
なお、ＥＶＦモニタ７に対する使用者の素早い覗き込み動作を検知した場合に限り図２２の「ＥＶＦモニタ高速待機処理」や図２３の「ＥＶＦモニタ高速起動処理」を行ってもよい。そのためには、例えば、近接センサ５９の出力の履歴を保持しておき、ステップＳ１１９の処理を行う際にその値の変化が大きいか否かでステップＳ１１９の代わりにステップＳ１１９Ａを行うか否かを判定すればよい。ステップＳ１３０の場合にも同様である。
【０１２３】
なお、ＥＶＦモニタ７用の垂直同期信号及び水平同期信号を背面モニタ５用の垂直同期信号及び水平同期信号の倍のフレームレートとすることによって、同様の効果を得てもよい。
【０１２４】
＜その他の例＞
上記した例では、近接センサ５９の出力の情報を用いて図１０のステップＳ１０５、図１１のＳ１１７、図１２のＳ１２８の処理を行ったが、それ以外のセンサからの出力の情報を用いてもよい。
例えば、撮像装置１が備える加速度センサ６０の出力から使用者がＥＶＦモニタ７の覗き込み動作を行いそうな予備動作を検知した場合に、制御部５２はステップＳ１１８乃至ステップＳ１２７の各処理を行ってもよい。そして、加速度センサ６０の出力から使用者がＥＶＦモニタ７の覗き込み動作を行ったことを検知した場合に、制御部５２はステップＳ１２９乃至ステップＳ１３９の各処理を行ってもよい。加速度センサ６０の出力が無い場合に、制御部５２はステップＳ１０６乃至ステップＳ１１６の各処理を行ってもよい。
【０１２５】
更に他の例として、撮像装置１が備える静電センサ６１の出力情報を用いてもよい。
例えば、静電センサ６１の出力がない場合に制御部５２はステップＳ１０６乃至ステップＳ１１６の各処理を行い、出力が小さい場合に制御部５２はステップＳ１１８乃至ステップＳ１２７の各処理を行い、出力が大きい場合に制御部５２はステップＳ１２９乃至ステップＳ１３９の各処理を行ってもよい。即ち、静電センサ６１の出力が無い場合は撮像の意思が無いと判定し、出力が小さい場合はシャッターボタンに指が触れかかっているとしてＥＶＦモニタ７を待機状態にする必要ありと判定し、出力が大きい場合はまさに使用者が覗き込み動作を行っていると判定する。
【０１２６】
もちろん、撮像装置１が備える各センサを複合的に利用して背面モニタ５及びＥＶＦモニタ７の状態を制御してもよい。
例えば、近接センサ５９の出力が大きいが、静電センサ６１の出力が無い場合には、使用者の顔以外の異物がＥＶＦモニタ７に接近していると判定して、ＥＶＦモニタ７の起動や待機状態への遷移を行わなくてもよい。
【０１２７】
また、撮像装置１が備える各種センサから取得する各種情報以外の情報を用いて背面モニタ５及びＥＶＦモニタ７の状態を制御してもよい。
例えば、背面モニタ５における各種メニューの表示状態や撮像装置１のモードに応じて上記した各種処理の実行可否を判定してもよい。
具体的には、背面モニタ５に撮像画像の設定を変更するためのメニューが表示されており、使用者が解像度設定やフラッシュ設定やホワイトバランスの設定などを変更していることが推定できる場合には、ＥＶＦモニタ７を起動する処理や待機状態へと遷移させる処理を実行せずにスキップしてもよい。
【０１２８】
また、撮像装置１が、これまで撮像した静止画像や動画像を背面モニタ５に表示する再生モードとされている場合には、使用者がこれまで撮像した画像等の確認を行っていると判定して、ＥＶＦモニタ７を起動する処理や待機状態へと遷移させる処理を実行せずに飛ばしてもよい。
他にも、撮像装置１の撮像モードに応じて各処理を行ってもよい。具体的には、マクロ撮像モードのときには、ＥＶＦモニタ７を覗き込んでいる可能性が高いと判定し、ＥＶＦモニタ７を起動させる処理や待機させる処理を行ってもよい。
例えば、図１０のステップＳ１０２やステップＳ１０５、或いは図１１のステップＳ１１７や図１２のステップＳ１２８などで撮像装置のモード情報を用いた判定処理を行うことにより、このような処理を実現してもよい。
また、上記した起動指示や停止指示においては、コマンド信号線７０，８０を用いてコマンドを送信する以外にも、クロック信号の供給によって起動指示の代わりとすることや供給の停止によって停止指示の代わりとすることが考えられる。
【０１２９】
＜６．まとめ＞
本技術に係る撮像装置１は、第１の表示部とされたＥＶＦモニタ７と、第２の表示部とされた背面モニタ５と、第１の表示部の起動及び停止指示を送信するコマンド信号線７０と、第２の表示部の起動及び停止指示を送信するコマンド信号線８０と、第１の表示部用の第１表示データと第２の表示部用の第２表示データを第１の表示部及び第２の表示部へ共通の経路で送信する表示データ線７３と、表示データ線７３で第１の表示部及び第２の表示部へ送信する表示データを制御する制御部５２と、を備えている。
これにより、ＥＶＦモニタ７用の表示データ線と背面モニタ５用の表示データ線をそれぞれ別に設けずに済む。
即ち、表示データ線７３を共通化することで、制御部５２として動作するプロセッサーなどのＩＣに設けられる信号線の数を減らすことができ、ＩＣの小型化を図ること及びコストダウンを実現することが可能である。また、ＩＣの小型化により、ＩＣが搭載される基板の小型化を図ることができるため、撮像装置１の内部に設けられた各部品の配置空間における基板が占めるスペースを縮小でき、他の部品の配置自由度を増すことや、撮像装置１自体の小型化を図ることができる。
【０１３０】
また、制御部５２は、第２の表示部が表示データ線７３を通じて送信された第２表示データを表示している場合に、コマンド信号線７０を通じて第１の表示部に起動指示を行い、表示データ線７３で送信する表示データを第２表示データから第１表示データへ切り替える切り替え処理と、第２の表示部に対する停止指示を行ってもよい。
使用する表示部を背面モニタ５からＥＶＦモニタ７へと切り換える場合に、表示データの切り替えを行う前にＥＶＦモニタ７に起動指示を行うことにより、ＥＶＦモニタ７の起動を早めることができ、使用者の待ち時間を短縮することができる。これにより、ユーザの利便性の向上を図ることができる。即ち、ＥＶＦモニタ７を使用者が覗き込んだ場合にスルー画等が速やかに表示されることによりシャッタータイミングを逃さずに済む。
更に、表示データの切り替え後に背面モニタ５に対する停止指示を行うことで、背面モニタ５が使用していた電力を削減できるため、撮像装置１の長時間稼働を実現することが可能である。また、撮像装置１を同時間稼働する場合でも、消費電力の低減により撮像装置１に搭載される電池の容量削減や小型化を図ることができる。
【０１３１】
上述した撮像装置１においては、第１表示データとしてのＥＶＦモニタ用表示データと、第２表示データとしての背面モニタ用表示データが異なる解像度のデータとされていてもよい。
異なる解像度のデータであっても、表示データ線７３が共通化されていることで、制御部５２として動作するプロセッサーなどのＩＣに設けられる信号線の数を減らすことができ、ＩＣの小型化を図ること及びコストダウンを実現することが可能である。
【０１３２】
上述した撮像装置１においては、ＥＶＦモニタ７がファインダ内に設けられ、背面モニタ５がファインダ外に設けられていてもよい。
この場合には、使用者がＥＶＦモニタ７と背面モニタ５の双方を同時に見る可能性が低くなるため、使用者が視認していない方の表示部に対して停止指示を行うことが有効である。
従って、状況に応じて一方の表示部を停止させた状態を長くすることができ、消費電力の削減に寄与することができる。また、撮像装置１の長稼働化を図ることや、電池の小型化などを図ることができる。
【０１３３】
上述した撮像装置１においては、ＥＶＦモニタ７と使用者との距離を測定可能な第１測定部（例えば検出部５６の近接センサ５９）を備え、制御部５２は、第１測定部の測定結果を用いて起動指示、切り替え処理、停止指示を行うタイミングを決定してもよい。第１測定部とは、例えば近接センサ５９や加速度センサ６０や静電センサ６１やチルトセンサ６２である。
測定された距離は、ＥＶＦモニタ７を使用者が視認しているか否かを判定するために用いることが可能とされる。
これにより、使用者が視認していない方の表示部に対して適切な停止指示が行われる可能性を高めることができる。換言すれば、使用者が視認している方の表示部を停止してしまい、ユーザの利便性を低下させてしまう虞や不快感を招来してしまう虞を低減することができる。また、停止指示を行うタイミングを該距離に基づいて決定することで、使用者にとって最適なタイミングで表示部の切り替えを行うことが可能とされる。
なお、第１測定部によって測定される距離は、近接センサ５９によって直接的に測定される距離以外にも、例えば加速度センサ６０によってＥＶＦモニタ７の覗き込み動作を行いそうな予備動作を検知し、該検知結果により推定されるＥＶＦモニタ７と使用者間の推定距離であってもよい。
【０１３４】
上述した撮像装置１においては、カメラ筐体２の姿勢の変化を測定可能な第２測定部（例えば検出部５６の加速度センサ６０）を備え、制御部５２は、加速度センサ６０が測定した姿勢の変化を用いて、起動指示、切り替え処理、停止指示を行うタイミングを決定してもよい。
カメラ筐体２の姿勢の変化が測定可能となることで、使用者が視認している表示部の特定に該測定結果を用いることが可能とされる。
即ち、カメラ筐体２の姿勢変化によって、使用者が何れの表示部を視認しているかが適切に判定される可能性を高めることができる。これにより、使用者が視認している表示部を停止してしまう可能性を低減することができる。
尚、停止指示を行うタイミングに姿勢変化の情報を用いることで、使用者にとって最適なタイミングで表示部の切り替えを行うことが可能とされる。特に、前述した近接センサ５９の測定結果と加速度センサ６０の測定結果の双方を用いて使用者が視認している表示部が何れであるかを判定することにより、視認している表示部の起動や視認していない表示部の停止などを適切に行うことができると共に、消費電力の削減などの効果を得ることができる。
【０１３５】
上述した撮像装置１の第１測定部は、近接センサ５９を用いて距離を測定してもよい。
近接センサ５９などのセンサを用いることにより、使用者と表示部の距離を認識することが可能となり、先のタイミングの決定などに用いることが可能となる。
従って、より適切に各モニタの起動処理や切り替え処理や停止処理を行うことができる。
【０１３６】
上述した撮像装置１の第２測定部は、ジャイロセンサまたは加速度センサを用いて前記姿勢の変化を測定してもよい。上記で例としてあげた加速度センサ６０によってカメラ筐体２の姿勢変化を検知することにより、覗き込み動作を適切に判定し、各種の処理を実行することができる。そして、加速度センサ６０の代わりにジャイロセンサを用いて覗き込み動作の検出を行ってもよい。
【０１３７】
上述した撮像装置１の制御部５２は、第１測定部が測定した距離が第１の距離（第１出力閾値ＴＨ１）よりも短く第２の距離（第２出力閾値ＴＨ２）よりも長い場合に、起動指示を行い、測定した距離が第２の距離よりも短い場合に、切り替え処理と停止指示を行ってもよい。
即ち、ＥＶＦモニタ７と使用者の距離が第２の距離よりも遠いが第１の距離よりも近い場合には、ＥＶＦモニタ７の起動指示が行われる。
これにより、ＥＶＦモニタ７に対して第２の距離よりも近い位置に使用者が近づいた後にＥＶＦモニタ７の起動指示を行うよりも迅速にＥＶＦモニタ７を立ち上げることが可能となる。即ち、使用者がＥＶＦモニタ７の起動を待つ時間を無くすことや削減することが可能となる。従って、使用者の利便性の向上を図ることができる。
また、ＥＶＦモニタ７と使用者の距離が第２の距離よりも近くなった場合には、表示データの切り替えを行うだけでＥＶＦモニタ７に撮像画像を表示させることができるため、使用者が表示された撮像画像を視認可能となるまでの時間を短くすることができる。そして、使用者が視認していないと推測できる背面モニタ５に対して停止指示を行うことにより，撮像装置１の消費電力を削減し、長時間稼働を実現することができる。
【０１３８】
上述した撮像装置１の制御部５２は、ＥＶＦモニタ７及び背面モニタ５に対して、それぞれ別の信号線（クロック信号線７１，８１及び同期信号線７２Ｈ，７２Ｖ，８２Ｈ，８２Ｖ）でクロック信号（ＥＶＦモニタ用クロック信号、背面モニタ用クロック信号）と同期信号（ＥＶＦモニタ用同期信号、背面モニタ用同期信号）を送信してもよい。
ＥＶＦモニタ７及び背面モニタ５にそれぞれ別のクロック信号と同期信号が送られることにより、ＥＶＦモニタ７と背面モニタ５を独立して制御することが可能となる。
特に、例えばＥＶＦモニタ７が起動指示に基づいて起動過程にある場合であっても背面モニタ５が停止指示に基づく停止過程に移行することが可能となる。従って、各表示部に対する使用者の使用態様に応じた柔軟な制御を行うことができる。そして、一方の表示部の起動を待たずにもう一方の表示部の停止が行われることから、表示部の停止を迅速に行うことができ、消費電力の削減や撮像装置の長稼働化を図ることができる。
【０１３９】
上述した撮像装置１の制御部５２は、ＥＶＦモニタ７に黒画像を表示させる第１の黒画像表示指示（ＥＶＦモニタ７に対する黒画像表示コマンドの送信）を行ってもよい。
これにより、例えば、ＥＶＦモニタ７に背面モニタ５用の背面モニタ用表示データが入力されている状態などにおいて、ＥＶＦモニタ７に黒画像を表示させることが可能となる。
即ち、ＥＶＦモニタ７に適切な撮像画像が表示されていない状態を使用者に視認させずに済むため、使用者に撮像装置１の故障を誤認させてしまう虞を排除することができ、使用者を不安に陥らせてしまう可能性を無くすことができる。
【０１４０】
上述した撮像装置１においては、第１の黒画像表示指示は、切り替え処理が完了するまでＥＶＦモニタ７に黒画像を表示させる指示とされていてもよい。
ＥＶＦモニタ７の起動後にＥＶＦモニタ７に入力される表示データは、表示データの切り替え処理が終わるまではＥＶＦモニタ用表示データと背面モニタ用表示データの何れかとされる。
即ち、ＥＶＦモニタ７には、切り替え処理が終わるまで背面モニタ用表示データが入力されている可能性があり、使用者に対して乱れた画像が表示されることがある。従って、表示データの切り替え処理が完了するまでＥＶＦモニタ７に黒画像を表示することによって、使用者に乱れた撮像画像を見せずに済む。
【０１４１】
上述した撮像装置１の制御部５２は、背面モニタ５に黒画像を表示させる第２の黒画像表示指示（背面モニタ５に対する黒画像表示コマンドの送信）を行ってもよい。
これにより、例えば、背面モニタ５にＥＶＦモニタ７用のＥＶＦモニタ用表示データが入力されている状態などにおいて、背面モニタ５に黒画像を表示させることが可能となる。
即ち、背面モニタ５に適切な撮像画像が表示されていない状態を使用者に視認させずに済むため、使用者に撮像装置１の故障を誤認させてしまう虞を排除することができ、使用者を不安に陥らせてしまう可能性を無くすことができる。
【０１４２】
上述した撮像装置１においては、第２の黒画像表示指示は、表示データの切り替え開始から背面モニタ５に黒画像を表示させる指示とされていてもよい。
背面モニタ用表示データらＥＶＦモニタ用表示データへ表示データの切り替えを行っている過程では、背面モニタ５に入力される表示データは、ＥＶＦモニタ用表示データと背面モニタ用表示データの何れかとされる。
即ち、背面モニタ５には、切り替え処理が終わるまで乱れた画像が表示される可能性が高い。従って、表示データの切り替え処理の開始から背面モニタ５に黒画像を表示することによって、使用者に乱れた撮像画像を見せずに済む。
【０１４３】
上述した撮像装置１の制御部５２は、第２の黒画像表示指示の後に停止指示を行ってもよい。
これにより、背面モニタ５に黒画像が表示された後に停止過程へと遷移するため、背面モニタ５にＥＶＦモニタ用表示データが入力された状態、即ち乱れた撮像画像が表示された状態を使用者に視認されることはないため、使用者に撮像装置１の故障を誤認させてしまう虞を排除することができる。
【０１４４】
上述した撮像装置１の制御部５２は、起動指示に基づいたＥＶＦモニタ７の起動期間においてＥＶＦモニタ７に送信する第１の同期信号（例えばＥＶＦモニタ７用の垂直同期信号や水平同期信号）のフレームレートを背面モニタ５に送信する第２の同期信号（例えば背面モニタ５用の垂直同期信号や水平同期信号）のフレームレートよりも高くしてもよい。
これにより、ＥＶＦモニタ７の起動は比較的高いフレームレートを用いて行われる。
従って、ＥＶＦモニタ７の起動期間を短くすることができるため、例えば使用者が素早くＥＶＦモニタ７を視認しようとしたことに応じてＥＶＦモニタ７に起動指示を行った場合などに、適切な撮像画像が表示されたＥＶＦモニタ７を使用者に早く提示することが可能となる。特に、高いフレームレートを使用する期間をＥＶＦモニタ７の起動期間に限ることにより、不必要にＥＶＦモニタ７の消費電力や発熱を増大させずに済む。即ち、必要最低限の消費電力増や発熱量増加に押さえつつ、第１の表示部の起動を早めることが可能となる。
【０１４５】
上述した撮像装置１においては、カメラ筐体２に対する背面モニタ５の位置または姿勢を検出するチルトセンサ６２を備え、制御部５２は、チルトセンサ６２によって検出された位置情報または姿勢情報を用いて起動指示を行うか否かを決定してもよい。
例えば、背面モニタ５が収納位置から張出位置へと移動している状態を検知することができる。背面モニタ５が張出位置へと移動している状態においては、使用者が背面モニタ５を視認している可能性が高く、ＥＶＦモニタ７を視認している可能性が低いと考えられる。
従って、背面モニタ５が張出位置に位置している状態を検知した場合には、ＥＶＦモニタ７に対する起動指示を行わなくてもよい。ステップＳ１０２乃至Ｓ１０４の各処理により、不必要にＥＶＦモニタ７が起動されて、消費電力が増大してしまうことが抑制される。
なお、これ以外にも、背面モニタ５を閲覧していると判断できるような姿勢を検知した場合には、ＥＶＦモニタ７に対する起動指示を行わないことが好ましい。
【０１４６】
上述した撮像装置１の制御部５２は、撮像モードまたは再生モードに関するモード情報を用いて起動指示を行うか否かを決定してもよい。
例えば、撮像装置１が再生モードで用いられている状態において、ＥＶＦモニタ７に対する起動指示を行わないことも可能である。
例えば、ＥＶＦモニタ７がファインダ内に設けられているような場合において、撮像装置１が再生モードである場合にはＥＶＦモニタ７が視認される可能性は低いと考えられる。このような場合にＥＶＦモニタ７を無闇に起動しなくて済むため、消費電力の削減を見込むことができる。また、撮像装置の長稼働化を図ることができる。
【０１４７】
本発明の実施の形態のプログラムは、第１の表示部用の第１表示データと第２の表示部用の第２表示データを第１の表示部及び第２の表示部へ共通の表示データ線で送信するとともに、第１の表示部に起動指示を行う機能と、表示データ線で送信する表示データを前記第２表示データから前記第１表示データへ切り替えを行う機能と、第２の表示部に対する停止指示を行う機能と、を演算処理装置に実現させるプログラムである。
より具体的には、図１０乃至図２３に示す各処理を演算処理装置としての制御部５２に実行させるプログラムである。
【０１４８】
このようなプログラムにより本実施の形態の撮像装置１の実現が容易となる。
そしてこのようなプログラムは演算処理装置等の機器に内蔵されている記録媒体や、ＣＰＵを有するマイクロコンピュータ内のＲＯＭ等に予め記憶しておくことができる。あるいはまた、半導体メモリ、メモリカード、光ディスク、光磁気ディスク、磁気ディスクなどのリムーバブル記録媒体に、一時的あるいは永続的に格納（記憶）しておくことができる。またこのようなリムーバブル記録媒体は、いわゆるパッケージソフトウェアとして提供することができる。
また、このようなプログラムは、リムーバブル記録媒体からパーソナルコンピュータ等にインストールする他、ダウンロードサイトから、ＬＡＮ、インターネットなどのネットワークを介してダウンロードすることもできる。
【０１４９】
尚、本明細書に記載された効果はあくまでも例示であって限定されるものではなく、また他の効果があってもよい。
【０１５０】
＜７．本技術＞
本技術は以下のような構成も採ることができる。
（１）
第１の表示部と、
第２の表示部と、
前記第１の表示部の起動及び停止指示を送信する第１のコマンド信号線と、
前記第２の表示部の起動及び停止指示を送信する第２のコマンド信号線と、
前記第１の表示部用の第１表示データと前記第２の表示部用の第２表示データを前記第１の表示部及び前記第２の表示部へ共通の経路で送信する表示データ線と、
前記表示データ線で前記第１の表示部及び前記第２の表示部へ送信する表示データを制御する制御部と、を備えた
撮像装置。
（２）
前記制御部は、前記第２の表示部が前記表示データ線を通じて送信された前記第２表示データを表示している場合に、前記第１のコマンド信号線を通じて前記第１の表示部に起動指示を行い、前記表示データ線で送信する表示データを前記第２表示データから前記第１表示データへ切り替える切り替え処理と、前記第２の表示部に対する停止指示を行う
（１）に記載の撮像装置。
（３）
前記第１表示データと前記第２表示データは解像度が異なるデータとされた
（１）または（２）の何れかに記載の撮像装置。
（４）
前記第１の表示部はファインダ内に設けられ、前記第２の表示部は前記ファインダ外に設けられた
（１）乃至（３）の何れかに記載の撮像装置。
（５）
前記第１の表示部と使用者との距離を測定可能な第１測定部を備え、
前記制御部は、前記第１測定部の測定結果を用いて前記起動指示、前記切り替え処理、前記停止指示を行うタイミングを決定する
（２）に記載の撮像装置。
（６）
撮像装置筐体の姿勢の変化を測定可能な第２測定部を備え、
前記制御部は、前記第２測定部が測定した前記姿勢の変化を用いて、前記起動指示、前記切り替え処理、前記停止指示を行うタイミングを決定する
（２）または（５）の何れかに記載の撮像装置。
（７）
前記第１測定部は、近接センサを用いて前記距離を測定する
（５）に記載の撮像装置。
（８）
前記第２測定部はジャイロセンサまたは加速度センサを用いて前記姿勢の変化を測定する
（６）に記載の撮像装置。
（９）
前記制御部は、
前記第１測定部が測定した距離が第１の距離よりも短く第２の距離よりも長い場合に、前記起動指示を行い、
前記測定した距離が前記第２の距離よりも短い場合に、前記切り替え処理と前記停止指示を行う
（５）または（７）の何れかに記載の撮像装置。
（１０）
前記制御部は、前記第１の表示部及び前記第２の表示部に対して、それぞれ別の信号線でクロック信号と同期信号を送信する
（１）乃至（９）の何れかに記載の撮像装置。
（１１）
前記制御部は、前記第１の表示部に黒画像を表示させる第１の黒画像表示指示を行う
（２）に記載の撮像装置。
（１２）
前記第１の黒画像表示指示は、前記切り替え処理が完了するまで前記第１の表示部に黒画像を表示させる指示とされる
（１１）に記載の撮像装置。
（１３）
前記制御部は、前記第２の表示部に黒画像を表示させる第２の黒画像表示指示を行う
（２）に記載の撮像装置。
（１４）
前記第２の黒画像表示指示は、表示データの切り替え開始から前記第２の表示部に黒画像を表示させる指示とされる
（１３）に記載の撮像装置。
（１５）
前記制御部は、前記第２の黒画像表示指示の後に前記停止指示を行う
（１４）に記載の撮像装置。
（１６）
前記制御部は、前記起動指示に基づいた前記第１の表示部の起動期間において前記第１の表示部に送信する第１の同期信号のフレームレートを前記第２の表示部に送信する第２の同期信号のフレームレートよりも高くする
（２）に記載の撮像装置。
（１７）
撮像装置筐体に対する前記第２の表示部の位置または姿勢を検出するチルトセンサを備え、
前記制御部は、前記チルトセンサによって検出された位置情報または姿勢情報を用いて前記起動指示を行うか否かを決定する
（２）に記載の撮像装置。
（１８）
前記制御部は、撮像モードまたは再生モードに関するモード情報を用いて前記起動指示を行うか否かを決定する
（２）に記載の撮像装置。
【符号の説明】
【０１５１】
１…撮像装置、２…カメラ筐体、５…背面モニタ、７…ＥＶＦモニタ、５２…制御部、５９…近接センサ、６０…加速度センサ、６１…静電センサ、６２…チルトセンサ、７１…クロック信号線、７２Ｈ、７２Ｖ…同期信号線、７３…表示データ線、８１…クロック信号線、８２Ｈ、８２Ｖ…同期信号線
【図１】
2019008874.tif 000003
【図２】
2019008874.tif 000004
【図３】
2019008874.tif 000005
【図４】
2019008874.tif 000006
【図５】
2019008874.tif 000007
【図６】
2019008874.tif 000008
【図７】
2019008874.tif 000009
【図８】
2019008874.tif 000010
【図９】
2019008874.tif 000011
【図１０】
2019008874.tif 000012
【図１１】
2019008874.tif 000013
【図１２】
2019008874.tif 000014
【図１３】
2019008874.tif 000015
【図１４】
2019008874.tif 000016
【図１５】
2019008874.tif 000017
【図１６】
2019008874.tif 000018
【図１７】
2019008874.tif 000019
【図１８】
2019008874.tif 000020
【図１９】
2019008874.tif 000021
【図２０】
2019008874.tif 000022
【図２１】
2019008874.tif 000023
【図２２】
2019008874.tif 000024
【図２３】
2019008874.tif 000025
【図２４】
2019008874.tif 000026
【国際調査報告】
2019008874.tif 000027
2019008874.tif 000028
2019008874.tif 000029
2019008874.tif 000030